(57)【要約】      （修正有）【課題】再使用可能な組立式堰板を提供する。【解決手段】矩形の板状部材である頂板１０と、前記頂板の底面における中央部及び前側、後側に夫々設けられる３対の横リブ１１と、前記頂板の底面に等距離間隔で配置される複数の縦リブ１２と、前記複数の縦リブの中の、最右側及び最左側に位置する２つの縦リブにおける夫々前記３対の横リブの内部に形成される６つの支持スリーブ１３とを備える。さらに、前記複数の縦リブの中の、最右側及び最左側に位置する２つの縦リブにおける夫々前記３対の横リブにおける隣同士の２対の横リブの間に形成されると共に、行列的に配置される４つのボルト孔１６等とを設ける。【選択図】図１
0003174667.tif 000002
【実用新案登録請求の範囲】
【請求項１】
矩形の板状部材である頂板と、
前記頂板の底面の中央部及び前側、後側に夫々設けられる３本の横リブと、
前記頂板の底面に等間隔で配置される複数の縦リブと、
前記複数の縦リブのうち、最右側及び最左側に位置する２本の縦リブにおける夫々前記３対の横リブの内部に形成される６つの支持スリーブと、
前記複数の縦リブのうち、最右側及び最左側に位置する２つの縦リブにおける夫々前記３対の横リブにおける隣同士の２対の横リブの間に形成されると共に、行列的に配置される４つのボルト孔と、を具備し、
前記各横リブは、左右方向に沿って伸びるように設けられると共に、前記頂板の左右方向と同一の長さを有する細長状の板であり、
前記各縦リブは、前後方向に沿って伸びるように設けられ、前記横リブに直交し、前記頂板の前後方向と同一の長さを有すると共に、前記横リブの上下方向と同一の高さを有する細長状の板であり、
前記各支持スリーブは、前記各縦リブの上下方向と同一の高さを有することを特徴とする組立式堰板。
【請求項２】
前記各縦リブに間隔を置いて、該縦リブの上下方向と同一の高さを有する複数の釘シャフトが設けられることを特徴とする請求項１に記載の組立式堰板。
【請求項３】
前記頂板の上面における、前記釘シャフトと対応する箇所に位置決め凹入部が形成されることを特徴とする請求項２に記載の組立式堰板。
【請求項４】
隣合う２つのボルト孔は、一方が長ボルト孔で、他方が短ボルト孔であり、
前記各短ボルト孔は、前記縦リブの上下方向と同一の高さを有すると共に、その内径は、長ボルト孔の外径と対応し、前記各長ボルト孔の末端が、前記縦リブの底面から下方に向かって突出することを特徴とする請求項１乃至請求項３に記載の組立式堰板。
【請求項５】
前記頂板の上面に、左右方向に沿って伸びると共に、前後方向において等間隔で配置され、該頂板の左右方向と同一の長さを有する複数の突出リブが凸設されることを特徴とする請求項４に記載の組立式堰板。
【考案の詳細な説明】
【技術分野】
【０００１】
本考案は、特に再利用可能な組立式堰板に関するものである。
【背景技術】
【０００２】
建造物を建造する際の基礎工事や土木工事においては、通常、先ず堰板を組んでコンクリートの型枠を構成させ、その型枠内にコンクリートを打設して養生させ固めてから、型枠を撤去し、該建造物を完成させる。
【考案の概要】
【考案が解決しようとする課題】
【０００３】
前記従来の堰板は、複数の板状部材と、該複数の板状部材を束ねるために底面に釘で固定された複数の桟木とからなるものであることから、該堰板を使用する時、バタ材でこの複数の堰板を組み合わせなければならないが、該堰板からなる型枠の内部にコンクリートを流し込むと、コンクリートが釘を打ち込んだ孔の中に入り込んでしまうという問題があった。
【０００４】
また、前記従来の堰板は、釘しか結合手段のない板状部材と桟木とからなる低強度のものであることから、工事が完成し、コンクリートから型枠を撤去する時、堰板が破損することがよくある。故に、堰板の再利用率が極めて低いので、工事における堰板のコストを高めていた。
【０００５】
そこで、案出されたのが本考案であって、コンクリートを打設し養生した後、型枠を撤去する時に破損してしまい再利用出来なくなると言った従来の堰板の問題を解決するために、支持スリーブ及びスリーブを有するプラスチック製の板状部材からなる組立式堰板を提供することを目的としている。
【課題を解決するための手段】
【０００６】
本願の請求項１の考案は、矩形の板状部材である頂板と、
前記頂板の底面の中央部及び前側、後側に夫々設けられる３本の横リブと、
前記頂板の底面に等間隔で配置される複数の縦リブと、
前記複数の縦リブのうち、最右側及び最左側に位置する２本の縦リブにおける夫々前記３対の横リブの内部に形成される６つの支持スリーブと、
前記複数の縦リブのうち、最右側及び最左側に位置する２つの縦リブにおける夫々前記３対の横リブにおける隣同士の２対の横リブの間に形成されると共に、行列的に配置される４つのボルト孔と、を具備し、
前記各横リブは、左右方向に沿って伸びるように設けられると共に、前記頂板の左右方向と同一の長さを有する細長状の板であり、
前記各縦リブは、前後方向に沿って伸びるように設けられ、前記横リブに直交し、前記頂板の前後方向と同一の長さを有すると共に、前記横リブの上下方向と同一の高さを有する細長状の板であり、
前記各支持スリーブは、前記各縦リブの上下方向と同一の高さを有することを特徴とする組立式堰板、を提供する。
【０００７】
本願の請求項２の考案は、前記各縦リブに間隔を置いて、該縦リブの上下方向と同一の高さを有する複数の釘シャフトが設けられることを特徴とする請求項１に記載の組立式堰板、を提供する。
【０００８】
本願の請求項３の考案は、前記頂板の上面における、前記釘シャフトと対応する箇所に位置決め凹入部が形成されることを特徴とする請求項２に記載の組立式堰板、を提供する。
【０００９】
本願の請求項４の考案は、隣合う２つのボルト孔は、一方が長ボルト孔で、他方が短ボルト孔であり、
前記各短ボルト孔は、前記縦リブの上下方向と同一の高さを有すると共に、その内径は、長ボルト孔の外径と対応し、前記各長ボルト孔の末端が、前記縦リブの底面から下方に向かって突出することを特徴とする請求項１乃至請求項３に記載の組立式堰板、を提供する。
【００１０】
本願の請求項５の考案は、前記頂板の上面に、左右方向に沿って伸びると共に、前後方向において等間隔で配置され、該頂板の左右方向と同一の長さを有する複数の突出リブが凸設されることを特徴とする請求項４に記載の組立式堰板、を提供する。
【考案の効果】
【００１１】
本考案は上記の課題を解決するものであり、本考案の組立式堰板を使用する時、角材からなる３本の支持部材を各横リブの下方に当接させ、上から釘を該支持部材まで打ち込む事により、各支持部材を各横リブの下方に固定させ、例えば建築又は土木工事で用いられる堰板を構成する。
【００１２】
そして、前記支持部材が取り付けられた本考案の組立式堰板は、例えば壁のコンクリート打設のための型枠を構成させる時、先ず頂板における、前記ボルト孔と対応する箇所を貫通させ、スリーブ及び該スリーブを包む蛇腹パイプで被覆される一本の連結ボルトを反対する側の頂板同士における互いに対応するボルト孔に挿入し、この反対する側の２つの頂板を連結させることにより、型枠を構成する、反対する側の頂板の間にペスト状のコンクリートを流し込む。
【００１３】
前記構成によれば、前記蛇腹パイプは、硬化していくコンクリートに圧迫されるが、連結ボルトとボルトスリーブとの間にコンクリートが入り込んで凝固することがないので、本考案の堰板をコンクリートから取り外してもこのボルトスリーブが破損することはない。また、前記横リブ及び縦リブは、前記頂板の構造強度を高め、変形を防止することができるので、該頂板の寿命を延長できると共に、堰板の再利用に寄与し、工事における堰板のコストも大幅に抑えることができる。
【図面の簡単な説明】
【００１４】
【図１】本考案に係る組立式堰板の斜視図である。
【図２】本考案に係る組立式堰板の他の斜視図である。
【図３】本考案に係る組立式堰板の底面図である。
【図４】本考案に係る組立式堰板の側面断面図である。
【図５】本考案に係る組立式堰板の収納状態を示す側面断面図である。
【図６】本考案に係る組立式堰板の使用状態を示す平面図である。
【図７】本考案に係る組立式堰板の使用状態を示す側面断面図である。
【図８】本考案に係る組立式堰板の使用状態を示す拡大側面断面図である。
【考案を実施するための形態】
【００１５】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１６】
図１乃至図４に示すように、本考案に係る堰板は、射出成形されたプラスチック製の頂板１０を有し、本実施例においては、該頂板１０の短辺を前側及び後側とし、長辺を右側及び左側とする。
【００１７】
前記頂板１０の上面に、左右方向に沿って伸びると共に、前後方向において等間隔で配置され、該頂板１０の左右方向と同一の長さを有する複数の突出リブ１０１が凸設され、また、前記頂板１０の底面の中央部及び前側、後側に夫々３本の横リブ１１が設けられ、該各横リブ１１は、左右方向に沿って伸びると共に、前記頂板１０の左右方向と同一の長さを有する細長状の板である。
【００１８】
また、前記頂板１０の底面に複数の縦リブ１２が等間隔で配置され、該各縦リブ１２は、前後方向に沿って伸びるように設けられ、前記横リブ１１に直交し、該頂板１０の前後方向と同一の長さを有すると共に、前記横リブ１１の上下方向と同一の高さを有する細長状の板である。
【００１９】
前記複数の縦リブ１２のうち、最右側及び最左側に位置する２本の縦リブ１２における夫々前記３対の横リブ１１の内部に６つの支持スリーブ１３が形成され、即ち、最右側に位置する縦リブ１２における、１本目の横リブ１１と２本目の横リブ１１の間、３本目の横リブ１１と４本目の横リブ１１の間、及び５本目の横リブ１１と６本目の横リブ１１の間に、夫々、１つの支持スリーブ１３が形成されると共に、最左側に位置する縦リブ１２における、１本目の横リブ１１と２本目の横リブ１１の間、３本目の横リブ１１と４本目の横リブ１１の間、及び５本目の横リブ１１と６本目の横リブ１１の間に、夫々、１つの支持スリーブ１３が形成される。該各支持スリーブ１３は、該各縦リブ１２の上下方向と同一の高さを有する。
【００２０】
前記各縦リブ１２に間隔を置いて、該縦リブ１２の上下方向と同一の高さと、該縦リブ１２の左右の幅より大きい直径を有する複数の釘シャフト１４が設けられると共に、前記頂板１０の上面における、該釘シャフト１４と対応する箇所に位置決め凹入部１０２が形成される。
【００２１】
また、隣合うように位置する２つのボルト孔は夫々、一方が長ボルト孔１５で、他方が短ボルト孔１６であり、該各短ボルト孔１６は、前記縦リブ１２の上下方向と同一の高さを有すると共に、その内径は、長ボルト孔１５の外径と対応し、該各長ボルト孔１５の末端は、該長ボルト孔１５が設けられた縦リブ１２の底面から下方に向かって突出している。
【００２２】
図５に示すように、本考案に係る堰板を収納する時は、互いの横リブ１１、縦リブ１２、支持スリーブ１３、並びに釘シャフト１４が相対するように、２つの堰板の底部を重ね合せればよい。特に前記２つの堰板のうちの一方の堰板の長ボルト孔１５を、他方の堰板の短ボルト孔１６に挿入させて位置決めすれば、対ごとに重ね合せて収納することができるので、収納空間の節約にも寄与する。
【００２３】
図６及び図７に示すように、本考案に係る堰板を使用する時は、角材からなる３本の支持部材２０を各横リブ１１の下方に位置させ、上から釘を該支持部材２０まで打ち込むことにより、該各支持部材２０を確実に各横リブ１１の下方に固定し、例えば建築又は土木工事で用いる堰板を構成させる。
【００２４】
前記支持部材２０が取り付けられた本考案の組立式堰板を用いて、例えば壁を建造する場合には、位置決め凹入部１０２で前記釘シャフト１４の位置を確認してから、頂板１０の上面における埋込式配管ボックスの位置に対応する箇所に模型ブロック２１を鋲着させる。尚、前記模型ブロック２１を鋲着する時は、該頂板１０の底面における該模型ブロック２１に対応する釘シャフト１４の位置に該頂板１０を貫通するように打ち込み、前記模型ブロック２１を頂板１０の上面に鋲着させる。
【００２５】
図７及び図８に示すように、例えば、本考案の組立式堰板を用いて壁のコンクリート打設のための型枠を構成させる時は、予め頂板１０における、前記長ボルト孔１５及び短ボルト孔１６と対応する箇所を貫通させ、スリーブ２３及び該スリーブ２３を包む蛇腹パイプ２４で被覆される一本の連結ボルト２２を反対側の頂板１０同士における互いに対応する長ボルト孔１５及び短ボルト孔１６に挿入することにより、この反対側の２つの頂板１０を固定し連結させることから、型枠を構成する反対側の頂板１０の間にコンクリートペストを流入させて打設する。
【００２６】
上述した構成によれば、前記蛇腹パイプ２４は、硬化していくコンクリートに圧迫されるが、弾力性を有するので、スリーブ２３の破損による壁の亀裂を防ぐことができる。尚、本考案によれば、工事が完了した時、硬化したコンクリートの壁から連結ボルト２２及びスリーブ２３のみ取り外し、該蛇腹パイプ２４を壁の内部に残しても構わない。
【００２７】
また、本考案では、前記頂板１０の上面に複数の突出リブ１０１が凸設されるので、工事を行う時に、壁の表面に複数の細長状の溝が形成されることから、壁の仕上げの利便性を向上させることができる。
【産業上の利用可能性】
【００２８】
本考案は上記の構成を有することから、コンクリートが前記蛇腹パイプを圧迫するが、本考案に係る堰板の長ボルト孔及び短ボルト孔の内周面に入り込んで凝固することは無いので、例えば、壁の建造などの工事が完了し、コンクリートから本考案に係る堰板からなる型枠を撤去する時、この長ボルト孔及び短ボルト孔が破損することはない。また、一度使用して撤去された本考案の堰板には、再利用時に用いることのできる複数の釘シャフトがあると共に、前記横リブ及び縦リブも前記頂板の構造強度を高め、変形を防止することができるので、堰板の再利用に寄与し、工事における堰板のコストを大幅に抑えることができる。
【符号の説明】
【００２９】
１０１ 突出リブ
１０２ 位置決め凹入部
１０   頂板
１１   横リブ
１２   縦リブ
１３   支持スリーブ
１４   釘シャフト
１５   長ボルト孔
１６   短ボルト孔
２０   支持部材
２１   模型ブロック
２２   連結ボルト
２３   スリーブ
２４   蛇腹パイプ
【図１】
0003174667.tif 000003
【図２】
0003174667.tif 000004
【図３】
0003174667.tif 000005
【図４】
0003174667.tif 000006
【図５】
0003174667.tif 000007
【図６】
0003174667.tif 000008
【図７】
0003174667.tif 000009
【図８】
0003174667.tif 000010